(57)【要約】【課題】被検体の体厚に応じた係数を設定可能にすることにより、デュアルエネルギーサブトラクション像における減算エラーを抑制することができるＸ線撮影装置を提供する。【解決手段】収集された高圧像と低圧像に対して重み付けログ減算処理を行う際、高圧像用係数と低圧像用係数に二種類の重み係数を用いる。これらの重み係数は、コンソール４１を介して被検体Ｍの体厚に応じて設定されるので、重み付けログ減算処理を適切に行うことができる。その結果、デュアルエネルギーサブトラクション像における減算エラーを抑制することができる。【選択図】図１
2007236766.tif 000002
【特許請求の範囲】
【請求項１】
Ｘ線を照射するＸ線管及び、被検体が載置される天板を挟んで前記Ｘ線管に対向配置され、透過Ｘ線を検出する検出手段を備えた撮影手段と、前記Ｘ線管へ付与された高電圧値と低電圧値とに応じて、高圧像と低圧像の二種類の画像を収集する収集手段と、Ｘ線吸収係数が異なる組織を抽出する重み付けログ減算処理において用いられる高圧像用係数と低圧像用係数の二種類の重み係数を記憶する係数記憶手段と、前記高圧像用係数と前記低圧像用係数を被検体の体厚に応じて設定する設定手段と、前記係数記憶手段に記憶されている高圧像用係数及び低圧像用係数を用いて、前記高圧像及び前記低圧像に対して重み付けログ減算処理を行う処理手段と、を備えていることを特徴とするＸ線撮影装置。
【請求項２】
請求項１に記載のＸ線撮影装置において、前記設定手段は、撮影者が操作し、前記高圧像用係数と前記低圧像用係数を入力する入力手段を備えていることを特徴とするＸ線撮影装置。
【請求項３】
請求項２に記載のＸ線撮影装置において、前記入力手段は、体厚に関連する体厚情報と、体厚情報に応じた高圧像用係数と低圧像用係数とを対応付けた係数テーブルを予め記憶している体厚情報毎係数記憶手段と、撮影者が操作し、体厚情報を選択する選択手段と、選択された体厚情報と前記係数テーブルとに基づいて高圧像用係数と低圧像用係数を決定する決定手段と、を備えていることを特徴とするＸ線撮影装置。
【請求項４】
請求項１に記載のＸ線撮影装置において、前記検出手段は、撮影に適した透過Ｘ線量に達するまでの曝射時間を計測するフォトタイマーをさらに備え、前記設定手段は、曝射時間と、曝射時間に応じた高圧像用係数と低圧像用係数とを対応付けた係数テーブルを予め記憶している曝射時間毎係数記憶手段と、前記フォトタイマーにより計測された曝射時間と前記係数テーブルとに基づいて高圧像用係数と低圧像用係数を決定する決定手段と、を備えていることを特徴とするＸ線撮影装置。
【請求項５】
請求項１に記載のＸ線撮影装置において、前記天板の上方に配置され、天板に載置された被検体の体厚を測定する測定手段をさらに備え、前記設定手段は、体厚と、体厚に応じた高圧像用係数と低圧像用係数とを対応付けた係数テーブルを予め記憶している体厚毎係数記憶手段と、前記測定手段により計測された体厚と前記係数テーブルとに基づいて高圧像用係数と低圧像用係数とを決定する決定手段と、を備えていることを特徴とするＸ線撮影装置。
【発明の詳細な説明】
【技術分野】
【０００１】
この発明は、Ｘ線管に高電圧値及び低電圧値の二種類の電圧を付与し、得られた画像を処理してＸ線吸収係数が異なる組織を抽出するデュアルエネルギーサブトラクション撮影を行うためのＸ線撮影装置に関する。
【背景技術】
【０００２】
従来、この種の装置として、Ｘ線管及びイメージインテンシファイアとを備えた撮影部と、高圧像と低圧像とを収集する収集部と、高圧像と低圧像に対して重み付けログ減算処理を行う処理部とを備えたＸ線撮影装置がある（例えば、特許文献１参照）。処理部は、予め設定されている重み係数を用いて重み付けログ減算処理を行い、例えば、心臓などの臓器部分を残して肋骨や背骨などの骨を画像から除去したり、逆に肋骨及び背骨などの骨を残して臓器部分を除去したりして、デュアルエネルギーサブトラクション像を生成している。
【特許文献１】特開平４−１３８７８３号公報（第4頁右下欄〜第5頁右上欄、第1図）
【発明の開示】
【発明が解決しようとする課題】
【０００３】
しかしながら、このような構成を有する従来例の場合には、次のような問題がある。
すなわち、従来の装置は、重み付けログ減算処理にて用いる重み係数が一定とされている。一般的に、撮影毎に被検体の体厚が変化（厚い・薄いなどの被検体毎の個体差）することに起因して、被検体を透過するＸ線のエネルギーが変わり、骨や軟部組織のＸ線吸収係数が変わる。そのため、例えば、臓器部分を残したデュアルエネルギーサブトラクション像を生成させたい場合であっても、肋骨や背骨を除去しきれない減算エラー（「引き残し」とも呼ばれる）が生じることがある。このような減算エラーが生じると、デュアルエネルギーサブトラクション像の画質が著しく劣化し、画像による診断に支障が生じることがある。
【０００４】
この発明は、このような事情に鑑みてなされたものであって、被検体の体厚に応じた係数を設定可能にすることにより、デュアルエネルギーサブトラクション像における減算エラーを抑制することができるＸ線撮影装置を提供することを目的とする。
【課題を解決するための手段】
【０００５】
この発明は、このような目的を達成するために、次のような構成を採る。
すなわち、請求項1に記載の発明は、Ｘ線を照射するＸ線管及び、被検体が載置される天板を挟んで前記Ｘ線管に対向配置され、透過Ｘ線を検出する検出手段を備えた撮影手段と、前記Ｘ線管へ付与された高電圧値と低電圧値とに応じて、高圧像と低圧像の二種類の画像を収集する収集手段と、Ｘ線吸収係数が異なる組織を抽出する重み付けログ減算処理において用いられる高圧像用係数と低圧像用係数の二種類の重み係数を記憶する係数記憶手段と、前記高圧像用係数と前記低圧像用係数を被検体の体厚に応じて設定する設定手段と、前記係数記憶手段に記憶されている高圧像用係数及び低圧像用係数を用いて、前記高圧像及び前記低圧像に対して重み付けログ減算処理を行う処理手段と、を備えていることを特徴とするものである。
【０００６】
［作用・効果］請求項1に記載の発明によれば、撮影手段により撮影され、収集手段によって収集された高圧像と低圧像に対して処理手段が重み付けログ減算処理を行う際、係数記憶手段に記憶されている高圧像用係数と低圧像用係数に二種類の重み係数を用いる。これらの重み係数は、設定手段を介して被検体の体厚に応じて設定されるので、重み付けログ減算処理を適切に行うことができ、デュアルエネルギーサブトラクション像における減算エラーを抑制することができる。
【０００７】
この発明において、前記設定手段は、撮影者が操作し、前記高圧像用係数と前記低圧像用係数を入力する入力手段を備えていることが好ましい（請求項２）。撮影者は、被検体を観察し、その体格に応じて体厚を判断して、入力手段から高圧像用係数と低圧像用係数を入力する。例えば、数値を直接的に入力したり、いくつかの係数の中から適宜の係数を選択したりする。処理手段はこれらの高圧像用係数と低圧像用係数とを用いて処理を行うので、被検体の体厚に応じた適切な処理を行うことができる。
【０００８】
また、この発明において、前記入力手段は、体厚に関連する体厚情報と、体厚情報に応じた高圧像用係数と低圧像用係数とを対応付けた係数テーブルを予め記憶している体厚情報毎係数記憶手段と、撮影者が操作し、体厚情報を選択する選択手段と、選択された体厚情報と前記係数テーブルとに基づいて高圧像用係数と低圧像用係数を決定する決定手段と、を備えていることが好ましい（請求項３）。撮影者は、例えば、体厚を表現する厚中薄や大中小などの体厚情報のうちのいずれかを選択手段で選択する。決定手段は、選択された体厚情報と係数テーブルとに基づき、体厚情報に応じた高圧像用係数と低圧像用係数とを決定する。したがって、係数を直接的に入力することによる誤入力などのミスを防止しつつも、被検体の体厚に応じた適切な処理を行うことができる。
【０００９】
また、この発明において、前記検出手段は、撮影に適した透過Ｘ線量に達するまでの曝射時間を計測するフォトタイマーをさらに備え、前記設定手段は、曝射時間と、曝射時間に応じた高圧像用係数と低圧像用係数とを対応付けた係数テーブルを予め記憶している曝射時間毎係数記憶手段と、前記フォトタイマーにより計測された曝射時間と前記係数テーブルとに基づいて高圧像用係数と低圧像用係数を決定する決定手段と、を備えていることが好ましい（請求項４）。フォトタイマーは、Ｘ線の照射条件に応じて撮影が行われる際に、適切な濃度となる透過Ｘ線量を検出するまでの曝射時間を出力する。したがって、曝射時間は、被検体の体厚が厚い場合や、厚くなくても骨格がしっかりしていてＸ線吸収係数が大きい場合には長く、体厚が薄い場合や、薄くなくても骨格が華奢でＸ線吸収係数が小さい場合には短くなる。そこで、曝射時間ごと、つまり体厚毎に高圧像用係数と低圧像用係数とを対応付けた係数テーブルを予め曝射時間毎係数記憶手段に記憶しておき、撮影時においてフォトタイマーが計測した曝射時間に応じた高圧像用係数と低圧像用係数を決定手段が決定する。そして、これらの高圧像用係数と低圧像用係数により処理手段が重み付けログ減算処理を行うので、被検体の体格・体厚に係わらず、処理をより正確に行うことができる。その上、撮影者が被検体の体格等を見間違えたり、係数を誤入力したりすること等による減算エラーの発生も防止できる。
【００１０】
また、この発明において、前記天板の上方に配置され、天板に載置された被検体の体厚を測定する測定手段をさらに備え、前記設定手段は、体厚と、体厚に応じた高圧像用係数と低圧像用係数とを対応付けた係数テーブルを予め記憶している体厚毎係数記憶手段と、前記測定手段により計測された体厚と前記係数テーブルとに基づいて高圧像用係数と低圧像用係数とを決定する決定手段と、を備えていることが好ましい（請求項５）。体厚に応じて高圧像用係数と低圧像用係数とを対応付けた係数テーブルを体厚毎係数記憶手段に予め記憶しておき、撮影時において計測手段で計測された体厚に応じた高圧像用係数と低圧像用係数を決定手段が決定する。そして、これらの高圧像用係数と低圧像用係数により処理手段が重み付けログ減算処理を行うので、処理を正確に行うことができる。その上、撮影者が被検体の体格等を見間違えたり、係数を誤入力したりすること等による減算エラーの発生も防止できる。
【発明の効果】
【００１１】
この発明に係るＸ線撮影装置によれば、撮影手段により撮影され、収集手段によって収集された高圧像と低圧像に対して処理手段が重み付けログ減算処理を行う際、係数記憶手段に記憶されている高圧像用係数と低圧像用係数に二種類の重み係数を用いる。これらの重み係数は、設定手段を介して被検体の体厚に応じて設定されるので、重み付けログ減算処理を適切に行うことができ、デュアルエネルギーサブトラクション像における減算エラーを抑制できる。
【実施例１】
【００１２】
以下、図面を参照してこの発明の実施例1について説明する。
図１は、実施例１に係るＸ線撮影装置の概略構成を示すブロック図である。
【００１３】
ベッド１は、被検体Ｍを載置する天板３と、天板３を支持している基台部５とを備えている。天板３の上方には、支柱７の先端部に支持され、天板３側にＸ線を照射するＸ線管９が配設されている。天板３を挟んで、Ｘ線管９と対向する位置には、Ｘ線検出器１１が配設されている。このＸ線検出器１１としては、例えば、半導体からなる検出層を備えたＸ線フラットパネル検出器が挙げられる。このＸ線検出器１１の天板３側には、透過Ｘ線量を検出するフォトタイマー１３が配設されている。フォトタイマー１３は、適切なＸ線曝射量となった時点で、Ｘ線が曝射され始めた時点からの計時情報を後述する制御部（３９）に対して出力する。Ｘ線制御部１５は、Ｘ線管９に付与されるＸ線量や管電圧などを制御する。
【００１４】
なお、Ｘ線管９及びＸ線検出器１１は、この発明における撮影手段に相当し、Ｘ線検出器１１は、この発明における検出手段に相当する。
【００１５】
Ｘ線検出器１１からの信号は、Ａ／Ｄ変換器１７に与えられ、ここでデジタル信号に変換される。変換されたデジタル信号は、Ｘ線管９に高電圧値が付与された場合と低電圧値が付与された場合とで切り替えられる切り替え器１９を介してメモリに与えられる。切り替え器１９は、電気信号を二方向に切り替える機能を備え、高圧画像メモリ２１と、低圧画像メモリ２３にそれぞれ接続されている。高圧画像メモリ２１に記憶された高圧画像に係るデジタル信号は、ＬＯＧ変換部２５にて対数処理が行われて画像信号に変換された後、重み付け部２７にて重み係数が付与される。また、低圧画像メモリ２３に記憶された低圧画像に係るデジタル信号は、高圧画像と同様に、ＬＯＧ変換部２９及び重み付け部３１にて順次処理される。ＬＯＧ変換及び重み付けされた高圧画像及び低圧画像は、減算処理部３３に与えられる。減算処理部３３は、ＬＯＧ変換及び重み付けされた高圧画像及び低圧画像に対して減算処理を行う。減算処理された（デュアルエネルギー）サブトラクション像は、表示用メモリ３５に記憶される。表示用メモリ３５に与えられた差分像は、Ｄ／Ａ変換器３７に出力され、表示装置３８に差分像が表示される。
【００１６】
なお、高圧画像メモリ２１と低圧画像メモリ２３とは、この発明における収集手段に相当する。また、ＬＯＧ変換部２５，３９と、重み付け部２７，２９と、減算処理部３３とは、この発明における処理手段に相当する。
【００１７】
上述したＸ線制御部１５と、切り替え器１９と、重み付け部２７，３１と、表示用メモリ３５は、制御部３９によって統括的に制御される。制御部３９には、この発明における設定手段及び入力手段並びに選択手段に相当するコンソール４１と、この発明における係数記憶手段及び体厚情報毎係数記憶手段に相当する重み係数メモリ４３が接続されている。コンソール４１は、撮影者がＸ線撮影条件などを設定するとともに、高圧画像用と低圧画像用の重み係数を設定するために操作される。設定された高圧画像用係数と低圧画像用係数は、それぞれ重み付け部２７，３１に与えられる。また、制御部３９は、設定されたＸ線撮影条件で、Ｘ線制御部１５を介してＸ線管９からＸ線を曝射させるとともに、フォトタイマー１３からの曝射時間に基づいてＸ線の曝射を停止させる。
【００１８】
ここで図２を参照する。この図２は、重み係数メモリに記憶されている係数テーブルの一例を示す模式図である。
【００１９】
この係数テーブルは、重み係数メモリ４３に予め格納されており、被検体Ｍの体厚に応じて重み係数を設定するための情報である。例えば、撮影者が被検体Ｍを観察して、その体厚を三種類に分ける場合には、三種類の体厚情報「厚」、「中」、「薄」のそれぞれに、高圧画像用係数Ａ１，Ａ２，Ａ３，……と、低圧画像用係数Ｂ１，Ｂ２，Ｂ３，……とを対応付けておく。そして、制御部３９は、撮影者がコンソール４１を操作して選択した体厚情報に応じた高圧画像用係数及び低圧画像用係数を、重み付け部２７，３１に対して設定するようになっている。体厚情報の分類は、「大」、「中」、「小」などであってもよく、また４種類以上や２種類に分類するようにしてもよい。
【００２０】
なお、制御部３９は、この発明における決定手段に相当する。
【００２１】
次に、図３を参照して、上述したＸ線撮影装置の動作について説明する。なお、図３は、撮影時の動作を示すフローチャートである。
【００２２】
ステップＳ１〜Ｓ３
撮影者は、被検体Ｍを観察してその体厚を判断する。そして、コンソール４１を操作して、「厚」、「中」、「薄」の体厚情報の中から適切と思われるものを選択した後、撮影開始を指示する。すると、Ｘ線管９に付与する管電圧が高電圧値及び低電圧値とされた撮影が連続して行われ、高圧像と低圧像がそれぞれ高圧画像メモリ２１と低圧画像メモリ２３に記憶される。なお、ここではステップＳ１において、体厚情報「厚」が設定されたものとする。
【００２３】
ステップＳ４〜Ｓ６
ＬＯＧ変換部２５，２９において高圧像と低圧像にＬＯＧ変換が施され、重み付け部２７では、高圧像用係数Ａ１が高圧画像に乗じられ、重み付け部３１では、低圧画像係数Ｂ１が低圧画像に乗じられる。さらに、高圧像用係数Ａ１が乗じられた高圧画像と、低圧画像係数Ｂ１が乗じられた低圧画像との差分が減算処理部３３で求められ、サブトラクション画像が得られる。
【００２４】
ステップＳ７〜Ｓ９
得られたサブトラクション像は、表示用メモリ３５に与えられ、表示装置３８に表示される。撮影者は、そのサブトラクション像を観察して、所望の画質が得られているか否かを判断して、コンソール４１を操作する。その結果、所望の画質であれば処理を終了し、所望の画質に至ってなければ、ステップＳ１へ戻って重み係数の選択からやり直す。
【００２５】
上述したように、実施例１によると、収集された高圧像と低圧像に対して重み付けログ減算処理を行う際、高圧像用係数と低圧像用係数に二種類の重み係数を用いる。これらの重み係数は、コンソール４１を介して被検体Ｍの体厚に応じて設定されるので、重み付けログ減算処理を適切に行うことができる。その結果、デュアルエネルギーサブトラクション像における減算エラーを抑制することができる。
【００２６】
また、撮影者は、例えば、厚中薄などの体厚情報のうちのいずれかをコンソール４１で選択する。制御部３９は、選択された体厚情報と係数テーブルとに基づき、体厚情報に応じた高圧像用係数と低圧像用係数とを決定する。したがって、係数を直接的に入力することによる誤入力などのミスを防止しつつ、被検体Ｍの体厚に応じた適切な処理を行うことができる。
【００２７】
なお、上記の実施例１のように係数テーブルを用いることなく、撮影者が被検体Ｍを観察し、その体格に応じて体厚を判断して、コンソール４１から高圧像用係数と低圧像用係数を直接的に入力するようにしてもよい。例えば、数値を直接的に入力したり、いくつかの係数の中から適宜の係数を選択したりする。重み付け部２７，３１はこれらの高圧像用係数と低圧像用係数とを用いて処理を行うので、被検体Ｍの体厚に応じた適切な処理を行うことができる。
【実施例２】
【００２８】
次に、図面を参照してこの発明の実施例２について説明する。図４は、実施例２に係るＸ線撮影装置の重み係数メモリに記憶されている係数テーブルの一例を示す模式図である。なお、この実施例２は、上述した実施例１と構成が同じであるので、ブロック図については図１を参照する。
【００２９】
この実施例２に係るＸ線撮影装置は、フォトタイマー１３からの曝射時間と、重み計数メモリ４３に記憶されている計数テーブルとを参照して、重み計数を決定するようになっている。
【００３０】
具体的には、図４に示すように、重み係数メモリ４３には、曝射時間毎の高圧画像用係数の特性データｃｈ１と、曝射時間毎の低圧画像用係数の特性データｃｈ２との係数テーブルを予め記憶してある。フォトタイマー１３からの計時情報は、同じ濃度の画像を得る場合、体厚が厚いほど長くなり、体厚が薄いほど短くなる。したがって、制御部３９は、フォトタイマー１３からの計時情報、つまり曝射時間と特性データｃｈ１，ｃｈ２により、高圧画像用係数と低圧画像用係数を決定するようになっている。
【００３１】
次に、図５を参照して、上述した装置に動作について説明する。なお、図５は、撮影時の動作を示すフローチャートである。
【００３２】
ステップＳ１１〜Ｓ１３
コンソール４１から設定された撮影条件（高電圧値）で制御部３９が撮影を開始するとともに、フォトタイマー１３が計時を開始する。透過Ｘ線量に基づきフォトタイマー１３が計時を停止し、それに応じて制御部３９が撮影を停止するとともに高圧画像メモリ２１に高圧像を記憶する。なお、このとき計時情報（曝射時間）がｔ１であったものとする。
【００３３】
ステップＳ１４〜Ｓ１６
次の撮影条件（低電圧値）で制御部３９が撮影を開始するとともに、フォトタイマー１３が計時を開始する。透過Ｘ線量に基づきフォトタイマー１３が計時を停止し、それに応じて制御部３９が撮影を停止するとともに低圧画像メモリ２３に低圧像を記憶する。なお、このとき計時情報（曝射時間）がｔ２であったものとする。
【００３４】
ステップＳ１７〜Ｓ１９
ＬＯＧ変換部２５，２９において高圧像と低圧像に対してＬＯＧ変換が施され、さらに重み係数メモリ４３の特性データｃｈ１，ｃｈ２により、曝射時間ｔ１，ｔ２に応じた高圧像用係数Ａ１と低圧像用係数Ｂ１が決定されたものとする。重み付け部２７では、高圧像用係数Ａ１が高圧画像に乗じられ、重み付け部３１では、低圧画像係数Ｂ１が低圧画像に乗じられる。さらに、高圧像用係数Ａ１が乗じられた高圧画像と、低圧画像係数Ｂ１が乗じられた低圧画像との差分が減算処理部３３で求められ、サブトラクション画像が得られる。
【００３５】
ステップＳ２０，Ｓ２１
得られたサブトラクション像は、表示用メモリ３５に与えられ、表示装置３８に表示される。
【００３６】
上述したように、実施例２によると、フォトタイマー１３は、Ｘ線の照射条件に応じて撮影が行われる際に、適切な濃度となる透過Ｘ線量を検出するまでの曝射時間（計時情報）を出力する。したがって、曝射時間は、被検体Ｍの体厚が厚い場合や厚くなくても骨格がしっかりしていてＸ線吸収係数が大きい場合には長く、体厚が薄い場合や薄くなくても骨格が華奢でＸ線吸収係数が小さい場合には短くなる。そこで、曝射時間ごと、つまり体厚毎に高圧像用係数と低圧像用係数とを対応付けた係数テーブルを予め重み係数メモリ４３に記憶しておき、撮影時においてフォトタイマー１３が計測した曝射時間に応じた高圧像用係数と低圧像用係数を決定する。そして、これらの高圧像用係数と低圧像用係数により重み付けログ減算処理を行うので、被検体Ｍの体格・体厚に係わらず、処理をより正確に行うことができる。その上、撮影者が被検体Ｍの体格等を見間違えたり、係数を誤入力したりすること等による減算エラーの発生も防止できる。
【実施例３】
【００３７】
以下、図面を参照してこの発明の実施例３について説明する。
図３は、実施例３に係るＸ線撮影装置の概略構成を示すブロック図である。上述した実施例１と同様の構成については同符号を付すことにより詳細な説明については省略する。
【００３８】
支柱１に配設されたＸ線管９には、測定器４５が付設されている。この測定器４５は、例えば、超音波センサや光センサであり、測定器４５から天板３までの既知の距離ｈ０と、被検体Ｍが天板３に載置された状態に測定された距離ｈ１とに基づいて得られる体厚情報ｔｈ１を測定体厚として制御部３９に出力する。制御部３９は、測定器４５に体厚を測定するように指示を行うとともに、重み係数メモリ４３を参照し、受け取った測定体厚ｔｈ１に応じた高圧像用係数と低圧像用係数とを決定する。
【００３９】
ここで、図７を参照する。なお、図７は、重み係数メモリに記憶されている係数テーブルの一例を示す模式図である。
【００４０】
具体的には、体厚毎の高圧画像用係数の特性データｃｈ３と、体厚毎の低圧画像用係数の特性データｃｈ４との係数テーブルを予め記憶してある。制御部３９は、測定器４５からの測定体厚である体厚情報ｔｈ１と特性データｃｈ３，ｃｈ４により、高圧画像用係数と低圧画像用係数を決定するようになっている。
【００４１】
次に、図８を参照して、上述した装置の動作について説明する。なお、図８は、撮影時の動作を示すフローチャートである。
【００４２】
ステップＳ３１，Ｓ３２
制御部３９は、測定器４５に測定開始を指示するとともに体厚情報ｔｈ１を受け取る。そして、重み係数メモリ４３の係数テーブルと測定体厚に基づき高圧像用係数と低圧像用係数とを決定する。
【００４３】
ステップＳ３３〜Ｓ３９
制御部３９は、高電圧値と低電圧値で撮影を制御し、係数テーブルと測定体厚に応じて決められた高圧像用係数と低圧像用係数とを用いて重み付けログ減算処理を行う。そして、表示装置３８にサブトラクション像を表示する。
【００４４】
上述したように、実施例３によると、体厚に応じて高圧像用係数と低圧像用係数とを対応付けた係数テーブルを重み係数メモリ４３に予め記憶しておき、撮影時において測定器４５で計測された体厚に応じた高圧像用係数と低圧像用係数を制御部３９が決定する。そして、これらの高圧像用係数と低圧像用係数により重み付けログ減算処理を行うので、処理を正確に行うことができる。その上、撮影者が被検体Ｍの体格等を見間違えたり、係数を誤入力したりすること等による減算エラーの発生も防止できる。
【００４５】
この発明は、上記実施形態に限られることはなく、下記のように変形実施することができる。
【００４６】
（１）上述した各実施例１〜３では、Ｘ線検出器１１としてフラットパネル検出器を例示したが、例えば、イメージインテンシファイアとＴＶカメラの組み合わせであってもよい。
【００４７】
（２）上述した各実施例１〜３では、ベッド１に被検体Ｍを載置させて撮影する装置を例に採ったが、例えば、被検体Ｍを立たせた状態で撮影する装置であってもこの発明を適用することができる。
【００４８】
（３）上述した各実施例１〜３では、Ｘ線管９が支柱９に取り付けられた装置を例に採って説明したが、例えば、Ｘ線管とＸ線検出器１１とがＣ型アームなどに取り付けられた装置でもよい。
【図面の簡単な説明】
【００４９】
【図１】実施例１に係るＸ線撮影装置の概略構成を示すブロック図である。
【図２】重み係数メモリに記憶されている係数テーブルの一例を示す模式図である。
【図３】撮影時の動作を示すフローチャートである。
【図４】実施例２に係るＸ線撮影装置の重み係数メモリに記憶されている係数テーブルの一例を示す模式図である。
【図５】撮影時の動作を示すフローチャートである。
【図６】実施例３に係るＸ線撮影装置の概略構成を示すブロック図である。
【図７】重み係数メモリに記憶されている係数テーブルの一例を示す模式図である。
【図８】撮影時の動作を示すフローチャートである。
【符号の説明】
【００５０】
１  …  ベッド
Ｍ  …  被検体
３  …  天板
９  …  Ｘ線管
１１  …  Ｘ線検出器
１３  …  フォトタイマー
１５  …  Ｘ線制御部
２１  …  高圧画像メモリ
２３  …  低圧画像メモリ
２５  …  ＬＯＧ変換部
２７  …  重み付け部
２９  …  ＬＯＧ変換部
３１  …  重み付け部
３３  …  減算処理部
３５  …  表示用メモリ
３８  …  表示装置
４３  …  重み係数メモリ
【図１】
2007236766.tif 000003
【図２】
2007236766.tif 000004
【図３】
2007236766.tif 000005
【図４】
2007236766.tif 000006
【図５】
2007236766.tif 000007
【図６】
2007236766.tif 000008
【図７】
2007236766.tif 000009
【図８】
2007236766.tif 000010